(57)【特許請求の範囲】
【請求項１】
記録データが所定の記録単位で記録されているデータ記録領域と、上記記録単位毎に上記データ記録領域中の記録開始位置及び記録終了位置を管理する管理データが記録されている管理領域とから構成される再生専用の記録媒体に記録された上記記録データを再生する再生装置において、
上記管理領域を再生する再生手段と、
上記記録データの編集再生を指示する操作手段と、
上記再生手段により再生された上記管理領域に記録された上記記録単位毎に上記データ記録領域中の記録開始位置及び記録終了位置を記憶する第１の記憶手段と、
上記操作手段によるユーザの編集指示と上記第１の記憶手段に記憶された上記記録単位毎の上記データ記録領域中の記録開始位置及び記録終了位置とに基づいて生成された上記記録単位毎の上記データ記録領域中の新たな記録開始位置及び又は新たな記録終了位置を記憶する第２の記憶手段と、
上記操作手段によるユーザの上記編集指示と上記第１の記憶手段に記憶された上記記録単位毎の上記データ記録領域中の記録開始位置及び記録終了位置とに基づいて上記記録単位毎の上記データ記録領域中の新たな記録開始位置及び又は新たな記録終了位置を生成して上記第２の記憶手段に記憶するように制御すると共に、上記第２の記憶手段に記憶された上記データ記録領域中の記録開始位置及び記録終了位置に基づいて上記記録媒体から上記記録データを再生制御する制御手段と
を具えることを特徴とする再生装置。
【請求項２】
上記編集指示は、上記記録単位のデータを少なくとも２に分割するデバイド処理であることを特徴とする請求項１に記載の再生装置。
【請求項３】
上記編集指示は、上記記録単位のデータのうちの少なくとも２を連結して新たな記録単位データとするコンバイン処理であることを特徴とする請求項１に記載の再生装置。
【請求項４】
上記制御手段は、時間的に先行して再生される記録単位のデータに、他の記録単位のデータが継続することを示すリンク情報を付加することを特徴とする請求項３に記載の再生装置。
【請求項５】
上記管理情報は記録単位毎の再生順を示すトラツクナンバーデータを更に備え、上記制御手段は上記操作手段によるユーザの編集指示と上記第１の記憶手段に記憶された上記トラツクナンバーデータとに基づいて編集した新たなトラツクナンバーデータが上記第２の記憶手段に記憶されるように制御すると共に、上記第２の記憶手段に記憶されたトラツクナンバーデータに基づいて記録単位毎の再生を行なうことを特徴とする請求項１に記載の再生装置。
【請求項６】
上記編集指示は、所定の記録単位のデータの再生を上記第２の記憶手段へのトラツクナンバーデータの編集によつて抑制するイレーズ処理であることを特徴とする請求項５に記載の再生装置。
【請求項７】
上記編集指示は、上記第２の記憶手段に記憶されるトラツクナンバーデータの編集によつて、上記記録単位毎の記録データの再生順を変更するムーブ処理であることを特徴とする請求項５に記載の再生装置。
【請求項８】
上記再生装置の電源の遮断時にも上記第２の記憶手段は記憶内容を保持することを特徴とする請求項１に記載の再生装置。
【請求項９】
記録データが所定の記録単位で記録されているデータ記録領域と、上記記録単位毎に上記データ記録領域中の記録開始位置及び記録終了位置を管理する管理データが記録されている管理領域とから構成される再生専用の記録媒体に記録された上記記録データを再生する再生方法において、
上記管理領域から上記管理データを再生するステツプと、
上記再生手段により再生された上記管理領域に記録された上記記録単位毎の上記データ記録領域中の記録開始位置及び記録終了位置を第１の記憶手段に記憶するステツプと、
上記記録データの編集再生の指示が入力されるステツプと、
上記入力された編集指示と上記第１の記憶手段に記憶された上記記録単位毎の上記データ記録領域中の記録開始位置及び記録終了位置とに基づいて上記記録単位毎の上記データ記録領域中の新たな記録開始位置及び又は新たな記録終了位置を生成するステツプと、
上記生成された新たな記録開始位置及び又は新たな記録終了位置を第２の記憶手段に記憶するステツプと、
上記第２の記憶手段に記憶された上記データ記録領域中の記録開始位置及び記録終了位置に基づいて上記記録媒体から記録データを再生するステツプと
を具えることを特徴とする再生方法。
【発明の詳細な説明】
【０００１】
【目次】
以下の順序で本発明を説明する。
産業上の利用分野
従来の技術（図８〜図１６）
発明が解決しようとする課題（図１７〜図２０）
課題を解決するための手段（図１及び図２）
作用（図１及び図２）
実施例
（１）実施例の全体構成（図１）
（２）システムコントローラ（図２〜図７）
（３）実施例の効果
（４）他の実施例
発明の効果
【０００２】
【産業上の利用分野】
本発明は再生装置に関し、例えば所定ブロツク単位で離散的に記録したオーデイオデータを再生する場合に適用し得る。
【０００３】
【従来の技術】
従来、光磁気デイスク装置においては、連続するオーデイオデータを所定ブロツク単位で記録することにより、このオーデイオデータを離散的に光磁気デイスクに記録し得るようになされたものがある。
【０００４】
すなわちこの光磁気デイスク装置においては、順次入力されるオーデイオデータを音声圧縮回路に入力し、所定周期でブロツク化し、各ブロツク単位で音声圧縮処理する（以下この音声圧縮したデータのブロツクをサウンドグループと呼ぶ）。
さらに光磁気デイスク装置においては、このサウンドグループのオーデイオデータについて、連続する11のブロツクで２つのセクタを形成し、さらに36セクタで１つのクラスタを形成し、これにより音声圧縮したオーデイオデータをこのセクタを基準にしたクラスタ単位で記録し得るようになされている。
【０００５】
すなわち図８にテーブルの形式で示すように、この光磁気デイスク装置においては、各セクタに2352バイトのデータを割り当て得るようになされ、このうち縦方向アドレス「０」〜「３」で表される領域をヘツダに割り当てる。
さらに光磁気デイスク装置においては、このうち縦方向アドレス「０」〜「２」の領域、12バイトを同期パターン（sync）に割り当て、ここにフオーマツト化された所定の同期パターンを割り当て、続く縦方向アドレス「３」の１バイト目及び２バイト目にクラスタのアドレスを記録する。
【０００６】
ここで光磁気デイスク装置においては、このセクタを光磁気デイスク上に連続して形成し、３６のセクタをグループ化してクラスタを形成するようになされ、このクラスタ管理用のアドレスとして14ビツトのアドレスを割り当てるようになされている。
さらに光磁気デイスク装置においては、このクラスタのアドレスに続いて、セクタのアドレスを割り当て、続いて光磁気デイスクのモードを記録するようになされている。
【０００７】
このヘツダに続いて光磁気デイスク装置においては、2336バイトのメインデータエリアを形成し、この領域にユーザの所望するデータを割り当て得るようになされている。
【０００８】
すなわち図９に示すように、オーデイオ用の光磁気デイスクにおいては、モードのデータとして０２ｈのデータが割り当てられ、ヘツダに続いて００ｈのデータが４バイト連続し、続いてオーデイオデータを記録するようになされている。
【０００９】
このようにして形成されるセクタに対して光磁気デイスク装置においては、図１０に示すようにサウンドグループを割り当てる。
すなわち偶数セクタにおいては、図８のテーブルに対応する縦方向アドレス「４」の００ｈのデータに続くメインデータエリアについて、縦方向アドレスで「１０５」の領域を単位にしてこのメインデータエリアを分割し、各領域にそれぞれ順次サウンドグループのデータを割り当てる。
【００１０】
さらにこのようにしてメインデータエリアを分割して残る縦方向アドレスで「５３」の領域を６番目のサウンドグループ５に割り当て、続く奇数セクタの縦方向アドレス「５」からの領域に６番目のサウンドグループ５の残りのデータを記録する。
【００１１】
さらに光磁気デイスク装置においては、この奇数セクタについては、縦方向アドレスで「１０５」の領域を単位にして残りの領域を分割し、各領域にそれぞれ残りのサウンドグループを割り当てる。
【００１２】
これによりこの種の光磁気デイスク装置においては、順次入力されるオーデイオデータを音声圧縮処理してサウンドグループを形成し、このサウンドグループでセクタを、さらにはこのセクタでクラスタを形成し、このクラスタを単位にしてオーデイオデータを記録し得るようになされている。
【００１３】
すなわちこのようにしてクラスタ単位でオーデイオデータを記録する場合、大容量のメモリ回路をバツフアメモリとして使用すれば、例えば記録中の振動によりトラツクジヤンプした場合、トラツクジヤンプしたクラスタを記録し直すことにより連続するオーデイオデータを途切れることなく光磁気デイスクに記録することができる。
【００１４】
さらに光磁気デイスク装置においては、光磁気デイスクの内周側にオーデイオデータの管理用データを記録する記録領域を形成し、この記録領域の外周側にこのクラスタのデータでなるメインデータの記録領域を形成する。
これにより光磁気デイスク装置においては、このメインデータの記録領域に順次クラスタ単位でオーデイオデータを記録し得るようになされている。
【００１５】
これに対してこの管理用データの記録領域においては、ＵＴＯＣデータでなる管理データが記録され、これにより光磁気デイスク装置においては、このＵＴＯＣデータを参照して所望のオーデイオデータを再生し得るようになされている。すなわちこのＵＴＯＣデータにおいては、メインデータと同様にセクタを単位にして管理用データが規定され、第１〜第４のセクタについて規格化されるようになされている。
【００１６】
この第１〜第４のセクタのうち、第２〜第４のセクタにおいては、オプシヨンとして規定され、第１のセクタ（すなわちセクタ０でなる）においては、図１１に示すように、ヘツダに続いてクラスタのアドレスを割り当てた後、続いて００ｈのデータを記録する。
さらにこの第１のセクタにおいては、所定のコードデータ（Maker code、Model code）を割り当てた後、メインデータの記録開始位置及び終了位置を表すデータ（First TNO 、Last TNO）等が割り当てられるようになされている。
【００１７】
この第１のセクタのうち、縦方向アドレス「11」においては、デイスクの識別データを２バイト記録し得るようになされ、続いてメインデータ記録領域の欠陥領域の位置を表すポインタ（P-DFA ）、メインデータ記録領域の未記録領域の先頭位置を表すポインタ（P-EMPTY ）が割り当てられるようになされている。
さらに続く縦方向アドレス「12」においては、メインデータ記録領域に記録されたメインデータの先頭位置を表すポインタ（P-FRA ）が割り当てられ、続いて各データの記録開始位置を表すポインタ（P-TNO1、……、P-TNO255）が割り当てられるようになされている。
【００１８】
これによりオーデイオ信号を記録再生する光磁気デイスク装置においては、このポインタ（P-FRA 、P-TNO1、……、P-TNO255）でそれぞれ記録した各曲の先頭位置を検出し得るようになされている。
【００１９】
すなわち続く縦方向アドレス「76」以下の領域においては、メインデータの記録開始位置及び記録終了位置を表すスタートアドレス（Start address ）及びエンドアドレス（End address ）が記録されるようになされ、ポインタ（P-FRA 、P-TNO1、……、P-TNO255）においては、このスタートアドレスの記録位置を指示するようになされている。
これにより光磁気デイスク装置においては、ポインタで指定されるスタートアドレス及びエンドアドレスを検出することにより、ユーザの指定した曲について記録位置を検出し得るようになされている。
【００２０】
すなわちこのスタートアドレス及びエンドアドレスにおいては、図１２に示すように、それぞれクラスタのアドレスを14ビツト記録し、続いてセクタのアドレスを６ビツト、サウンドグループのアドレスを４ビツト記録するようになされ、これにより光磁気デイスク装置においては、クラスタ単位で記録したオーデイオデータについて、クラスタ、セクタ、サウンドグレープを単位にして曲の頭出し等の処理を実行し得るようになされている。
なおこの１組のスタートアドレス及びエンドアドレスで指定される記録単位をパーツと呼ぶ。
【００２１】
さらにこのＵＴＯＣデータにおいては、このスタートアドレスに続いて、各パーツの処理モードを示すモードデータ（Track mode）が記録され、これによりコピー禁止データ、書き込み禁止データ、オーデイオデータ、ステレオデータ、モノラルデータ等を識別し得るようになされ、さらにはエンフアシス処理の有無等を識別し得るようになされている。
【００２２】
これに対してエンドアドレスにおいては、続いてパーツの接続関係を表すリンクポインタ（Link-P）が記録されるようになされ、このリンクポインタ（Link-P）でこのエンドアドレスに対応するスタートアドレスの記録位置を指定し得るようになされている。
すなわち図１３に示すように、何もオーデイオデータを記録していない光磁気デイスクに始めてオーデイオデータを記録した場合、光磁気デイスク装置においては、順次１曲目、２曲目、……の演奏が連続するようにオーデイオデータを記録することになる（図１３（Ａ））。
【００２３】
この場合、各演奏のオーデイオデータにおいては、それぞれ１組のスタートアドレス及びエンドアドレスで指定されるパーツＰ１、Ｐ２、Ｐ３、……で光磁気デイスクに記録されることになる。
【００２４】
これに対してこの第２曲目及び第４曲目を消去した後、演奏時間の長い５曲目の演奏を記録する場合、この５曲目については、連続するオーデイオデータが分割されて第２及び第４のパーツＰ２及びＰ４で記録されることになる。
このような場合、光磁気デイスクにおいては、ポインタでこの５曲目のスタートアドレスを指定すると、このスタートアドレスで第２のパーツＰ２の演奏開始位置を検出し得るようになされ、さらにこのスタートアドレスと組をなすエンドアドレスでこのパーツＰ２の記録終了位置を検出し得るようになされている。
【００２５】
さらに光磁気デイスクにおいては、このエンドアドレスに続くリンクポインタ（Link-P）で第４のパーツＰ４のポインタ（P-FRA 、P-TNO1、……、P-TNO255）と同様にスタートアドレスを検出し得るようになされ、これにより光磁気デイスク装置においては、記録消去の処理を繰り返しても、その都度このＵＴＯＣを書き換えることにより、光磁気デイスクの記録領域を有効に利用してオーデイオデータを記録し得るようになされている。
かくしてこれによりポインタ（P-FRA 、P-TNO1、……P-TNO255）においては、光磁気デイスクに記録した各演奏に対応して形成され、対応するパーツをリンクポインタと共にそれぞれ指定することになる。
【００２６】
これに対してこのように連続して記録したオーデイオデータのうち、第２曲目を消去したような場合、光磁気デイスク装置においては、メインデータ記録領域の未記録領域の先頭位置を表すポインタ（P-EMPTY ）でこの消去された領域を指定する。
すなわちこのポインタ（P-EMPTY ）においては、ポインタ（P-FRA 、P-TNO1、……、P-TNO255）と同様に対応するパーツのスタートアドレスを指定するようになされ、これにより光磁気デイスク装置においては、例えば２曲目及び４曲目を消去したとき、それまでポインタ（P-TNO1、P-TNO2、……）でそれぞれ指定されていたパーツＰ２及びＰ４の指定を、この未記録領域の先頭位置を表すポインタ（P-EMPTY ）と、このポインタで指定されるスタートアドレスと組をなすエンドアドレスのリンクポインタ（Link-P）との指定に書き換え、これにより簡易にオーデイオデータを消去し得るようになされている（図１３（Ｂ））。
【００２７】
これにより光磁気デイスク装置においては、このスタートアドレス及びエンドアドレスで指定されるクラスタ間のオーデイオデータをクラスタ単位で再生した後、セクタ単位でデータ処理することにより、スタートアドレス及びエンドアドレスのサウンドグループアドレスで指定される演奏を再生し得るようになされ、これにより光磁気デイスクに離散的に記録したオーデイオデータを簡易に再生し得るようになされている。
このとき光磁気デイスク装置においては、このようにクラスタ単位でオーデイオデータを記録し、クラスタ単位でオーデイオデータを再生することにより、記録時と同様に大容量のメモリ回路をバツフアメモリとして使用して、再生時、トラツクジヤンプした場合でも、トラツクジヤンプしたクラスタを再生し直して音飛びを未然に防止し得るようになされている。
【００２８】
ちなみに残りのセクタのうち、第２のセクタ（セクタ１）においては、図１４に示すように、第１のセクタと同様にヘツダ、ポインタ（P-TNO1、P-TNO2、……）等が形成された後、スタートアドレス及びエンドアドレスに対応してＡＳＣＩＩコードでデイスク名、トラツク名を割り当て得るようになされている。
これに対して第３のセクタ（セクタ２）においては、図１５に示すように、第１のセクタと同様にヘツダ等が形成された後、第１のセクタのポインタ（P-TNO1、P-TNO2、……）に対応してポインタ（P-TRD1、P-TRD2、……）が形成されるようになされている。
【００２９】
これにより第３のセクタ（セクタ２）においては、第１のセクタのポインタ（P-TNO1、P-TNO2、……）に対応する各演奏について、ポインタ（P-TRD1、P-TRD2、……）で記録時間（Track rec data and time ）等を記録し得るようになされている。
さらに第４のセクタ（セクタ４）においては、図１６に示すように、同様にポインタ（P-TNA1、P-TNA2、……）を形成し、デイスク名、トラツク名を漢字コードで記録し得るようになされている。
【００３０】
【発明が解決しようとする課題】
ところでこのように管理データを基準にしてパーツ単位で記録したオーデイオデータを再生する場合、この管理データを書き換えることにより、簡易にオーデイオデータを編集処理することができる。
【００３１】
すなわちＵＴＯＣのリンクポインタを書き換えることにより、所望のパーツを飛び越して再生することができる。
また所望のパーツについてポインタ、再生開始位置及び再生終了位置のアドレスデータを更新し、これによりこのパーツを組み合わせて再生して所望の演奏について例えば１番から２番を飛び越して３番を再生することができる。
【００３２】
これに対してこの種の光磁気デイスクにおいては、コンパクトデイスクと同様の手法を適用した再生専用の光磁気デイスクと、再生専用の領域と記録再生領域を併せ持つ複合型の光磁気デイスク、記録再生専用の光磁気デイスクの３種類の光磁気デイスクがあり、このような再生専用の光磁気デイスクについても、この種の編集作業を実行することができれば、この種の光磁気デイスク装置の使い勝手を向上することができ便利であると考えられる。
【００３３】
すなわちこの種の光磁気デイスクにおいては、ＵＴＯＣに加えてＰＴＯＣをリードイン領域に形成するようになされ、再生専用の光磁気デイスクに記録したオーデイオデータ、さらには複合型の光磁気デイスクにおいて再生専用領域に記録したオーデイオデータをＰＴＯＣで管理するようになされている。
【００３４】
例えば図１７に示すように、このうちセクタ０のＰＴＯＣにおいては、ヘツダに続いて８バイト００ｈのデータが記録された後、この光磁気デイスクの名称を表す「ＭＩＮＩ」の文字コードがＡＳＣＩＩコードで記録されるようになされている。
さらにセクタ０のＰＴＯＣにおいては、続いて識別データ（Disc type ）を記録し、この識別データで再生専用の光磁気デイスク等を識別し得るようになされ、さらに記録のために必要な光量のデータ（Rec power ）等を記録する。
【００３５】
さらにセクタ０のＰＴＯＣにおいては、続いて縦方向アドレス「８」から順に、リードアウト領域のスタートアドレス（Lead-out start address）、記録に供する光量調整用の領域のスタートアドレス（Power cal area start address）、ＵＴＯＣのスタートアドレス（Ｕ−ＴＯＣ start address）、データ領域のスタートアドレス（Recordable user start address ）を記録するようになされている。
【００３６】
これにより光磁気デイスク装置においては、リードアウト領域のスタートアドレスとデータ領域のスタートアドレスを減算することにより、光磁気デイスク全体としての記録可能時間を検出し得るようになされている。
さらにセクタ０のＰＴＯＣにおいては、続いて再生専用及び複合型の光磁気デイスクの場合、再生専用の領域に形成した各パーツのポインタと、各ポインタで指定されるパーツのスタートアドレス、エンドアドレスを記録するようになされ、それぞれ各パーツに１つの演奏を割り当てるようになされている。
【００３７】
これにより光磁気デイスク装置においては、ＰＴＯＣをアクセスして装填された光磁気デイスクの種類を判別し、必要に応じてこのＰＴＯＣのポインタに従つて再生専用領域のオーデイオデータを再生し、またＵＴＯＣのポインタをアクセスして記録再生領域に記録したオーデイオデータを再生し得るようになされている。
【００３８】
なお図１８に示しように、セクタ１のＰＴＯＣにおいては、同様にヘツダ、光磁気デイスクの名称を表す「ＭＩＮＩ」の文字コード、各パーツのポインタが記録され、このポインタに対応してデイスク名（Disc name ）等を記録するようになされている。
【００３９】
これに対して図１９に示すように、セクタ２のＰＴＯＣにおいては、同様にヘツダ、光磁気デイスクの名称を表す「ＭＩＮＩ」の文字コード、各パーツのポインタが記録され、このポインタに対応して記録されたデータのトラツクと時間（Track rec date and time ）を記録するのに対し、図２０に示すように、セクタ３のＰＴＯＣにおいては、ポインタに対応して記録されたデータのカタログナンバ（Cataiogue Number）等を記録するようになされている。
【００４０】
本発明は以上の点を考慮してなされたもので、管理データを用いて所定のブロツク単位で記録した情報を再生する場合において、再生専用に割り当てられた記録データを編集処理して再生することができる再生装置を提案しようとするものである。
【００４１】
【課題を解決するための手段】
かかる課題を解決するため本発明においては、記録データが所定の記録単位で記録されているデータ記録領域と、上記記録単位毎に上記データ記録領域中の記録開始位置及び記録終了位置（Ｓｔａｒｔ  ａｄｄｒｅｓｓ及びＥｎｄ  ａｄｄｒｅｓｓ）を管理する管理データが記録される管理領域とから構成される再生専用の記録媒体２に記録された上記記録データを再生する再生装置１において、上記管理領域を再生する再生手段４〜９と、上記記録データの編集再生を指示する操作手段１４と、上記再生手段４〜９により再生された上記管理領域に記録された上記記録単位毎の上記データ記録領域中の記録開始位置及び記録終了位置（Ｓｔａｒｔ  ａｄｄｒｅｓｓ及びＥｎｄ  ａｄｄｒｅｓｓ）を記憶する第１の記憶手段と、上記操作手段１４によるユーザの編集指示と上記第１の記憶手段に記憶された上記記録単位毎の上記データ記録領域中の記録開始位置及び記録終了位置（Ｓｔａｒｔ  ａｄｄｒｅｓｓ及びＥｎｄ  ａｄｄｒｅｓｓ）とに基づいて生成された上記記録単位毎の上記データ記録領域中の新たな記録開始位置及び又は新たな記録終了位置（Ｓｔａｒｔ  ａｄｄｒｅｓｓ及び又はＥｎｄ  ａｄｄｒｅｓｓ）を記憶する第２の記憶手段と、上記操作手段１４によるユーザの上記編集指示と上記第１の記憶手段に記憶された上記記録単位毎の上記データ記録領域中の記録開始位置及び記録終了位置（Ｓｔａｒｔ  ａｄｄｒｅｓｓ及びＥｎｄ  ａｄｄｒｅｓｓ）とに基づいて上記記録単位毎の上記データ記録領域中の新たな記録開始位置及び又は新たな記録終了位置（Ｓｔａｒｔ  ａｄｄｒｅｓｓ及び又はＥｎｄ  ａｄｄｒｅｓｓ）を生成して上記第２の記憶手段に記憶するように制御すると共に、上記第２の記憶手段に記憶された上記データ記録領域中の記録開始位置及び記録終了位置（Ｓｔａｒｔ  ａｄｄｒｅｓｓ及びＥｎｄ  ａｄｄｒｅｓｓ）に基づいて上記記録媒体２から上記記録データを再生制御する制御手段３とを設けるようにした。
【００４８】
【作用】
編集モードにおいて、管理領域から再生されたデータを編集して第２の記憶手段に記憶し、当該第２の記憶手段に記憶された上記データ記録領域中の記録開始位置及び記録終了位置（Ｓｔａｒｔ  ａｄｄｒｅｓｓ及びＥｎｄ  ａｄｄｒｅｓｓ）に基づいて再生制御すれば、再生専用の記録媒体２についても、種々の編集処理を実行することができる。
【００４９】
【実施例】
以下図面について、本発明の一実施例を詳述する。
【００５０】
（１）実施例の全体構成
図１において、１は全体として光磁気デイスク装置を示し、光磁気デイスク２が装填されると、この光磁気デイスク２からＵＴＯＣデータを読み出した後、このＵＴＯＣデータに基づいて所望のオーデイオ信号を記録再生する。
【００５１】
すなわち光磁気デイスク装置１においては、直径64〔mm〕の光磁気デイスク２が装填されると、システムコントローラ３からサーボ回路４に制御信号を送出し、これによりサーボ回路４でスピンンドルモータ５を駆動し、光磁気デイスク２を所定の回転速度で回転駆動する。
【００５２】
続いて光磁気デイスク装置１においては、システムコントローラ３からサーボ回路４に制御信号を出力し、これによりスレツド部６を駆動して光学ヘツド７を光磁気デイスク２のリードイン領域に移動させる。
このようにして光学ヘツド７を移動させると、光磁気デイスク装置１においては、光学ヘツド７を駆動して光ビームを光磁気デイスク２に照射し、その反射光を光学ヘツド７で受光する。
【００５３】
これにより光学ヘツド７においては、受光結果をＲＦアンプ８を介してサーボ回路４に出力し、これによりサーボ回路４においては、この受光結果に基づいて光学ヘツド７をトラツキング制御、フオーカス制御する。
さらに光学ヘツド７においては、ＲＦアンプ８を介して受光結果をアドレスデコーダ９に出力し、アドレスデコーダ９においては、受光結果に基づいてプリグルーブの蛇行を検出して光磁気デイスク２上に予め割り当てられた各記録トラツクの位置情報を検出する。
【００５４】
これにより光磁気デイスク装置１においては、この位置情報を基準にして所望の記録トラツクにオーデイオデータを記録し、又は所望の記録トラツクからオーデイオデータ等を再生し得るようになされている。
【００５５】
このようにしてアドレスデコーダ９の位置検出結果に基づいてリードイン領域の記録トラツクについて、記録データを再生し得る状態になると、光磁気デイスク装置１においては、ＲＦアンプ８の出力信号をデータ処理回路１０に出力する。
ここでデータ処理回路１０においては、記録モードと再生モードとで動作を切り換え、再生モードにおいて、順次ＲＦアンプ８の出力信号を復調して復調データを得、この復調データを誤り訂正処理する。
【００５６】
この誤り訂正処理は、オーデイオデータ等に付加されて記録されたＣＩＲＣ（cross interleave reed solomon code) 誤り訂正符号に基づいて誤り訂正処理され、このためこの種の光磁気デイスク装置においては、記録時、この誤り訂正符号を付加してオーデイオデータ等を記録するようになされている。
このようにしてリードイン領域からＵＴＯＣに割り当てられた各セクタのデータを再生すると、光磁気デイスク装置１においては、メモリコントローラ１２を制御してこのうち必要なＵＴＯＣデータをランダムアクセスメモリ回路構成のメモリ１３に格納する。
【００５７】
このようにしてＵＴＯＣデータを読み込むと、光磁気デイスク装置１においては、続いてキー１４の操作をシステムコントローラ３でモニタすることにより、ユーザのキー操作を検出し、このキー操作に応動して動作を切り換えると共に、必要に応じて表示部１５の表示を切り換える。
【００５８】
すなわちこの実施例において、キー１４においては、電源、イジエクト、再生、一時停止、停止、選局、録音等の操作子が割り当てられ、システムコントローラ３においては、このキー操作に応動して全体の動作を切り換えると共に、表示部１５を介して光磁気デイスク２全体の総演奏時間、再生中の演奏の経過時間、再生中の演奏の残りの演奏時間、全体の残りの演奏時間、再生中の演奏のトラツクナンバ等を表示する。また光磁気デイスク２に演奏の記録日時、デイスク名、トラツク名等が記録されている場合、これらの情報もユーザの操作に応動して表示する。
【００５９】
これに対してユーザの操作に応動して記録モードに設定されると、光磁気デイスク装置１においては、順次入力されるオーデイオ信号Ａ１をアナログデイジタル変換回路（Ａ／Ｄ）１６でサンプリング周波数44.1〔kHz 〕、量子化ビツト数16ビツトのデイジタル信号に変換した後、音声圧縮エンコーダデコーダ１７で所定周期単位で音声圧縮処理し、これによりサウンドグループを形成してデータ量をほぼ１／５に低減する。
なおこの音声圧縮においては、変形ＤＣＴ（modified deiscreat cosine toransform）の手法を適用してオーデイオデータをデータ圧縮するようになされている。
【００６０】
さらに光磁気デイスク装置１においては、メモリコントローラ１２を介してこのオーデイオデータＤＡＩをメモリ１３に一旦格納した後、順次データ処理回路１０に出力する。
なおメモリ１３においては、オーデイオ信号Ａ１に換算して最大で３秒分のオーデイオデータを格納し得るように、大容量のメモリが割り当てられるようになされている。
【００６１】
ここでデータ処理回路１０は、メモリ１３を使用して順次入力されるオーデイオデータを所定のブロツクに分割して誤り訂正符号を生成した後、光磁気デイスクの記録に適した変調方式（すなわちＥＦＭ変調でなる８−14変調でなる）で変調し、その結果得られる記録データを磁気ヘツド駆動回路１８に出力する。  このとき光磁気デイスク装置１においては、予め検出したＵＴＯＣデータに基づいて、サーボ回路１２を介してスレツド６を駆動することにより、光学ヘツド７及び磁気ヘツド１９を未記録の記録トラツクに移動する。
これにより光磁気デイスク装置１においては、記録データに応じて磁気ヘツド１９を駆動し、この磁気ヘツド１９が形成する変調磁界を光磁気デイスク２の所望の記録トラツクに印加する。
【００６２】
この状態で光磁気デイスク装置１においては、この変調磁界の印加位置に光学ヘツド７で間欠的に光ビームを照射し、これにより熱磁気記録の手法を適用して高密度にオーデイオデータを記録し得るようになされている。
さらに光磁気デイスク装置１においては、この光ビームの反射光を光学ヘツド７で検出し、その検出結果をＲＦアンプ８を介してアドレスデコーダ９に出力するようになされ、これによりこのアドレスデコーダ９で各記録トラツクに予め記録した位置情報を検出する。
これにより光磁気デイスク装置１においては、この位置情報検出結果に基づいて所望の記録トラツクに順次オーデイオデータを記録し得るようになされている。
【００６３】
この記録の際、光磁気デイスク装置１においては、データ処理回路１０において、サウンドグループのオーデイオデータにヘツダを付加してセクタを形成し、このセクタでクラスタを形成するようになされ、これによりクラスタ単位でオーデイオデータを記録するようになされている。
【００６４】
これにより光磁気デイスク装置１においては、アドレスデコーダ９から得られれる位置情報検出結果、さらには光学ヘツド７を介して得られるフオーカスエラー信号等に基づいてトラツクジヤンプが検出されると記録動作を停止制御して元の記録トラツクに復帰し、このトラツクジヤンプした記録トラツクからオーデイオデータの記録を再開する。
このとき光磁気デイスク装置１においては、メモリ１３に格納したオーデイオデータをクラスタ単位で改めて出力し直すようになされ、これによりメモリ１３をバツフアメモリとして使用してオーデイオデータの欠落を回避し得るようになされ、光磁気デイスク装置１全体が振動等した場合でも、連続的にオーデイオ信号を記録し得るようになされている。
【００６５】
これに対して再生モードにおいて、光磁気デイスク装置１においては、ＵＴＯＣデータを再生する場合と同様に、光学ヘツド７から出力される光ビームの光量を低減し、光磁気デイスク２から得られる反射光の偏波面の変化を検出することにより、カー効果を利用して光磁気デイスク２の記録データを再生する。
すなわち光磁気デイスク装置１においては、ＲＦアンプ８の出力信号をデータ処理回路１０で復調して誤り訂正処理等した後、メモリコントローラ１２に出力する。
【００６６】
ここで光磁気デイスク装置１においては、記録時と同様にメモリ回路１２をバツフアメモリとして使用し、再生したオーデイオデータを音声圧縮エンコーダデコーダ１７に出力し、ここで音声伸長処理する。
これにより光磁気デイスク装置１においては、この音声圧縮エンコーダデコーダ１７でオーデイオデータＳＤＯをデイジタルオーデイオ信号ＡＯに復調した後、デイジタルアナログ変換回路（Ｄ／Ａ）２０を介してアナログ信号の形式で出力するようになされている。
【００６７】
さらにこの再生時、光磁気デイスク装置１においては、メインデータに付加されたサブデータの連続性をモニタすることにより、トラツクジヤンプを検出するようになされ、この検出結果に基づいて必要に応じて同一の記録トラツクからクラスタ単位でオーデイオデータを繰り返し再生するようになされている。
これにより光磁気デイスク装置１においては、再生時、トラツクジヤンプした場合でも、音切れを未然に防止してオーデイオ信号を再生し得るようになされている。
【００６８】
（２）システムコントローラ
ここでこの実施例において、システムコントローラ３においては、光磁気デイスクのリードイン領域から先ずＰＴＯＣのデータを読み出してメモリに格納した後、必要に応じてＵＴＯＣデータのデータを読み出してメモリ１３に格納する。
【００６９】
すなわち光磁気デイスク装置においては、ＰＴＯＣのデータを読み出して装填された光磁気デイスク２の種類を判別し、これにより記録再生可能な光磁気デイスク又は複合型の光磁気デイスクが装填された場合、続いてＵＴＯＣデータをメモリ１３に格納する。
【００７０】
このようにして光磁気デイスク２の装填時、ＵＴＯＣ及びＰＴＯＣのデータをメモリ１３に格納するとシステムコントローラ３においては、所定の処理手順を実行し、必要に応じてメモリ１３に格納したＵＴＯＣのデータを更新する。
さらにシステムコントローラ３においては、この更新したＵＴＯＣのデータを基準にしてオーデイオ信号を記録し、さらに必要に応じて消去し、光磁気デイスク２を排出する際又は電源が遮断される際、このメモリ１３のＵＴＯＣのデータでリードイン領域を更新する。
【００７１】
これにより光磁気デイスク装置１においては、オーデイオデータの記録消去に伴いＵＴＯＣのデータを更新し得るようになされ、この更新したＵＴＯＣのデータで続く再生処理等を確実に実行し得るようになされている。
【００７２】
これに対して装填された光磁気デイスク２が再生専用型の光磁気デイスク又は複合型の光磁気デイスクの場合、通常の再生モードにおいて、システムコントローラ３は、ユーザの操作に応動してメモリ１３に格納したＰＴＯＣデータに基づいて再生専用領域のオーデイオデータを再生する。
これに対してユーザが所定の操作子を操作して編集モードに切り換わると、システムコントローラ３においては、メモリ１３に格納したＰＴＯＣデータを複写してメモリ１３に編集用のＰＴＯＣデータを格納する。
【００７３】
すなわち図２に示すように、メモリ１３においては、オーデイオデータの記録領域に加えてリードイン領域から読み出したＰＴＯＣデータの記録領域、編集用ＰＴＯＣデータの記録領域を形成するようになされている。
これによりシステムコントローラ３においては、ユーザの操作に応動してＵＴＯＣのデータの場合と同様にこの編集用ＰＴＯＣデータを更新するようになされ、これにより再生専用の記録領域を形成した光磁気デイスクについても、簡易に編集処理し得るようになされている。
【００７４】
システムコントローラ３においては、編集モードにおいて、選曲の操作子が押圧操作されると、図３に示すように、この押圧操作の回数に対応して順次ポインタ（P-TNO1、P-TNO2、……）で指定されるトラツクナンバ（この場合トラツクナンバ４でなる）をその演奏の演奏時間と共に表示する。
これによりシステムコントローラ３においては、ユーザが所望の演奏を選曲すると、続いて編集モード選択の操作子の押圧操作に応動して、演奏時間の表示を順次循環的に切り換える。
【００７５】
すなわち編集モード選択の操作子が１回押圧操作されると、システムコントローラ３においては、演奏時間の表示をイレーズのモードを表す「Ｅｒａｓｅ？」の表示に切り換えるのに対し、この操作子が２回押圧操作されると、図４に示すようにデバイドのモードを表す「Ｄｉｖｉｄｅ？」の表示に切り換える。
さらに続いてこの操作子が押圧操作されると、システムコントローラ３においては、図５に示すようにコンバインのモードを表す「Ｃｏｍｂｉｎｅ？」の表示に切り換え、さらにこの操作子が続いて押圧操作されると、ムーブのモードを表す「Ｍｃｖｅ？」の表示に切り換え、さらに続いて押圧操作されると、元の演奏時間の表示に切り換える。
【００７６】
これにより光磁気デイスク装置１においては、１つの操作子を繰り返し押圧操作して所望の編集モードを選択し得るようになされ、その分操作パネルの構成を簡略化し得るようになされている。
【００７７】
このようにしてイレーズのモードを選択した状態でユーザが「ＹＥＳ」の操作子を押圧操作すると、システムコントローラ３においては、ユーザの選択した演奏について、編集用ＰＴＯＣのトラツクナンバを消去し、これにより編集用ＰＴＯＣデータを更新する。
これにより光磁気デイスク装置１においては、続いて再生処理する際、この編集用ＰＴＯＣに基づいてオーデイオデータを順次再生するようになされ、これによりあたかも再生専用の領域に記録された演奏について、この演奏を消去したように光磁気デイスク２を再生することができる。
【００７８】
これに対してユーザが一時停止の状態に設定して、デバイドのモードを選択した場合、システムコントローラ３においては、続いて「ＹＥＳ」の操作子が押圧操作されると、一時停止の位置で１つの演奏を２つの演奏に分割する。
すなわちシステムコントローラ３においては、一時停止した位置のアドレスデータを内蔵のバツフアメモリに蓄積し、この２つの演奏に分ける部分を繰り返し再生してユーザの確認を促す。
【００７９】
ここでユーザが「ＹＥＳ」の操作子を押圧操作すると、システムコントローラ３においては、バツフアメモリに格納したアドレスデータに基づいてユーザの選択したトラツクナンバで指定されるパーツを２つのパーツに分割する。
【００８０】
すなわち図６に示すように、ユーザがスタートアドレスＳ１及びエンドアドレスＥ１でなる第１番目のＡ曲を選択し（図６（Ａ））、このＡ曲の途中で一時停止してデバイドのモードに設定した後続いて「ＹＥＳ」の操作子を押圧操作すると、システムコントローラ３においては、スタートアドレスＳ１から始まりこの一時停止した位置をエンドアドレスＥ３にする第１のパーツ（Ａ曲のア）とこの一時停止した位置をスタートアドレスＳ３にしてエンドアドレスＥ１で終わる第２のパーツ（Ａ曲のイ）を生成し、第１及び第２のパーツのスタートアドレス及びエンドアドレスをスタートアドレスＳ１及びエンドアドレスＥ１に代えて編集用ＰＴＯＣに登録する（図６（Ｂ））。
【００８１】
さらにこのときシステムコントローラ３においては、スタートアドレスＳ１及びエンドアドレスＥ１を指定するポインタでなるトラツクナンバに代えて、この第１及び第２のパーツのスタートアドレス及びエンドアドレスを指定するトラツクナンバを編集用ＰＴＯＣに登録し、さらにこの第１及び第２のパーツのトラツクナンバがスタートアドレスＳ１及びエンドアドレスＥ１のトラツクナンバの間に割り当てられるように、続くＢ曲以下のトラツクナンバを更新する。
これにより光磁気デイスク装置１においては、続いてこの光磁気デイスクを再生する際、あたかも１つの演奏が２つに分割されたように再生することができ、これにより再生専用の領域に記録された演奏についても、編集処理することができる。
【００８２】
これに対して２つの演奏に分ける部分を繰り返し再生してユーザの確認を促している際、ユーザが分割位置を変更する操作子を押圧操作すると、システムコントローラ３においては、この押圧操作に応動して一時停止の位置を変更すると共にバツフアメモリに格納したアドレスデータを変更し、変更した位置で繰り返し光磁気デイスクを再生する。
このようにして分割する位置を変更してユーザが「ＹＥＳ」の操作子を押圧操作すると、システムコントローラ３においては、バツフアメモリに格納したアドレスデータに基づいて、ユーザが変更した位置でこの演奏を２つのパーツに分割する。
【００８３】
これにより光磁気デイスク装置１においては、必要に応じて分割する位置を確認しながら演奏を分割し得るようになされている。
【００８４】
これに対してユーザがコンバインのモードを選択して「ＹＥＳ」の操作子を押圧操作すると、システムコントローラ３においては、ユーザの選択したトラツクナンバとその１つ前のトラツクナンバとを点滅表示し、この状態でこの２つのトラツクナンバの演奏を連続して再生する。
この状態でユーザが「ＹＥＳ」の操作子を押圧操作すると、システムコントローラ３においては、この２つの演奏を結合する。
【００８５】
すなわちシステムコントローラ３においては、ユーザが始めにトラツクナンバ４の演奏を選択した場合、この１つ前のトラツクナンバ３のエンドアドレスからトラツクナンバ４のスタートアドレスに続くように、トラツクナンバ３のテーブルにリンクポインタを設定し、この場合図２のTrack mode下欄、００ｈのデータに代えてリンクポインタを設定するようになる。
さらにこのようにしてリンクポインタを設定すると、システムコントローラ３においては、トラツクナンバ４のスタートアドレスをポインタで指定しないように、ポインタのテーブルを更新し、これにより編集用ＰＴＯＣを更新する。
【００８６】
これにより光磁気デイスク装置１においては、続いてこの編集用ＰＴＯＣに基づいて光磁気デイスクを再生する際、あたかもトラツクナンバ３の演奏とトラツクナンバ４の演奏とが１つの演奏であるかの如く再生し得、これにより使い勝手を向上することができる。
【００８７】
さらにこの種のイレーズ、デバイド、コンバインを繰り返して、オリジナルの演奏を作成することもできる。
すなわち図７に示すように、Ａ曲、Ｂ曲、Ｃ曲が連続して記録されている光磁気デイスクにおいて（図７（Ａ））、始めにデバイドのモードを選択してＡ曲をＡ曲のア、Ａ曲のイ、Ａ曲のウ（図７（Ｂ））に分割する。
さらにイレーズのモードを選択してＡ曲のイを消去した後（図７（Ｃ））、続いてコンバインのモードを選択してこのＡ曲のア及びＡ曲のウを結合する（図７（Ｄ））。
【００８８】
このようにすれば、１番の歌詞から３番の歌詞に連続するようなオリジナルの演奏を作成することができ、その分光磁気デイスク装置の使い勝手を向上することができる。
【００８９】
これに対してムーブのモードが選択された場合、システムコントローラ３においては、「ＹＥＳ」の操作子が押圧操作されると、トラツクナンバの表示に隣接して数字１を表示し、この状態でユーザがこの数字送りの操作子を押圧操作すると、この押圧操作の回数に応じてこの数字の表示を順次値１づつ更新する。
このようにしてユーザが所望の数字を選択して「ＹＥＳ」の操作子を押圧操作すると、システムコントローラ３においては、ユーザの選択したトラツクナンバをユーザの選択した数字の数だけ移動させる。
【００９０】
すなわちシステムコントローラ３においては、編集用ＰＴＯＣをアクセスしてトラツクナンバのテーブルを更新し、これによりユーザの選択したトラツクナンバの演奏をユーザの選択した数字の数だけ移動させ、これにより続いて再生した際、この演奏がユーザの選択した数字の数だけ遅れて再生されるように、演奏の順番を変更する。
これによりユーザにおいては、あたかも所望の順番で記録された光磁気デイスクを得ることができ、その分使い勝手を向上することができる。
【００９１】
また上述のイレーズ、コンバイン、デバイドのモードを組み合わせて使用して、１番の歌詞から３番の歌詞に飛んで２番の歌詞に続くような演奏を作成することができ、また違う演奏を自由に組み合わせてオリジナルの演奏を作成することもできる。
これにより光磁気デイスク装置においては、ＰＴＯＣで管理されるオーデイオデータについても、所望の編集処理を実行することができ、その分光磁気デイスク装置の使い勝手を向上することができる。
【００９２】
さらに光磁気デイスク装置１において、システムコントローラ３においては、改めて編集モード設定の操作子が押圧操作されると、表示部１５に確認のメツセージを表示した後、ユーザが「ＹＥＳ」の操作子を押圧操作すると、メモリ１３のＰＴＯＣデータで編集用ＰＴＯＣデータを更新する。
これにより光磁気デイスク装置１においては、必要に応じて光磁気デイスク２からロードしたＰＴＯＣデータを基準にして編集用ＰＴＯＣを何度も作成し得るようになされ、これにより簡易に編集処理を実行し得るようになされている。
【００９３】
さらにこの実施例において、メモリ１３は、不揮発性メモリで形成され、これにより光磁気デイスク装置１の電源を遮断した場合でも、編集用ＰＴＯＣのデータを保持し得るようになされている。
これにより光磁気デイスク装置１においては、電源を遮断した場合でも折角作成した編集用ＰＴＯＣデータを保持し得、使い勝手を一段と向上することができる。
【００９４】
（３）実施例の効果
以上の構成によれば、ＰＴＯＣデータをメモリ１３にロードして編集用のデータを形成することにより、この編集用のデータを更新すると共に、この編集用のデータに基づいてオーデイオデータを再生して種々の編集処理を実行することができる。
【００９５】
（４）他の実施例
なお上述の実施例においては、編集モードにおいてイレーズ、デバイド、コンバイン、ムーブの処理を実行する場合について述べたが、本発明はこれに限らず、必要に応じてこれらの何れかの処理だけを実行してもよく、さらにはこれ以外の処理を実行するようにしてもよい。
【００９６】
さらに上述の実施例においては、オーデイオデータを一時格納するメモリ回路にＰＴＯＣデータを格納して編集用ＰＴＯＣデータを生成する場合について述べたが、本発明はこれに限らず、オーデイオデータを一時格納するメモリ回路と別体にＰＴＯＣテータ及び編集用ＰＴＯＣデータを格納するメモリ回路を形成してもよく、またオーデイオデータを一時格納するメモリ回路にＰＴＯＣデータを格納し、当該メモリ回路とは別体に編集用ＰＴＯＣデータだけを格納するようにしてもよい。
【００９７】
【発明の効果】
上述のように本発明によれば、管理領域から再生されたデータを編集して第１の記憶手段に記憶し、操作手段によるユーザの編集指示と第１の記憶手段に記憶された記録単位毎のデータ記録領域中の記録開始位置及び記録終了位置とに基づいて、記録単位毎のデータ記録領域中の新たな記録開始位置及び又は新たな記録終了位置を生成して第２の記憶手段に記憶し、当該第２の記憶手段に記憶されたデータ記録領域中の記録開始位置及び記録終了位置に基づいて記録媒体から記録データを再生制御すれば、再生専用の記録媒体についても、種々の編集処理を実行することができる再生装置を得ることができる。
【図面の簡単な説明】
【図１】本発明の一実施例による光磁気デイスク装置を示すブロツク図である。
【図２】メモリの内容を示す略線図である。
【図３】イレーズの表示を示す略線図である。
【図４】デバイドの表示を示す略線図である。
【図５】コンバインの表示を示す略線図である。
【図６】デバイドの動作の説明に供する略線図である。
【図７】編集処理全体の動作の説明に供する略線図である。
【図８】メインデータの記録フオーマツトの説明に供する図表である。
【図９】そのメインデータがオーデイオデータの場合を示す図表である。
【図１０】サウンドグループの説明に供する略線図である。
【図１１】セクタ０のＵＴＯＣの説明に供する図表である。
【図１２】スタートアドレス及びエンドアドレスの説明に供する略線図である。
【図１３】パーツの説明に供する略線図である。
【図１４】セクタ１のＵＴＯＣの説明に供する図表である。
【図１５】セクタ２のＵＴＯＣの説明に供する図表である。
【図１６】セクタ４のＵＴＯＣの説明に供する図表である。
【図１７】セクタ０のＰＴＯＣを示す図表である。
【図１８】セクタ１のＰＴＯＣを示す図表である。
【図１９】セクタ２のＰＴＯＣを示す図表である。
【図２０】セクタ３のＰＴＯＣを示す図表である。
【符号の説明】
１……光磁気デイスク装置、２……光磁気デイスク、４……サーボ回路、１０……データ処理回路、１２……メモリコントローラ、１３……メモリ、１５……表示部、１７……音声圧縮エンコーダデコーダ。
【図１】
0003729509.tif 000002
【図２】
0003729509.tif 000003
【図３】
0003729509.tif 000004
【図４】
0003729509.tif 000005
【図５】
0003729509.tif 000006
【図６】
0003729509.tif 000007
【図７】
0003729509.tif 000008
【図８】
0003729509.tif 000009
【図９】
0003729509.tif 000010
【図１０】
0003729509.tif 000011
【図１１】
0003729509.tif 000012
【図１２】
0003729509.tif 000013
【図１３】
0003729509.tif 000014
【図１４】
0003729509.tif 000015
【図１５】
0003729509.tif 000016
【図１６】
0003729509.tif 000017
【図１７】
0003729509.tif 000018
【図１８】
0003729509.tif 000019
【図１９】
0003729509.tif 000020
【図２０】
0003729509.tif 000021